(57)【特許請求の範囲】
【請求項１】
検知面を有するとともにこの検知面と交差する側面に取付孔を有する検知器部品を取り付ける取付体を備え、
前記取付体は、
前記検知器部品の取付孔を有する側面が当接する当接部と、
この当接部との間に挿入される検知器部品を当接部に押圧するばね作用部と、
前記当接部から突設され当接部とばね作用部との間に挿入された検知器部品の取付孔が係合する突起とを一体に有する
ことを特徴とする検知器部品取付装置。
【請求項２】
取付体は、当接部から折曲された検知面対向部を有し、この検知面対向部から当接部に対向するばね作用部を切り起こし、検知面対向部のばね作用部を切り起こした位置に検知器部品の検知面が対向する開口部が形成されている
ことを特徴とする請求項１記載の検知器部品取付装置。
【請求項３】
ばね作用部は、検知面対向部から切り起こした先端から検知器部品の挿入方向に斜めに折曲されて先端で検知器部品を係止する係止片を有する
ことを特徴とする請求項２記載の検知器部品取付装置。
【請求項４】
一面に反射面を有するとともに他面に取付孔を有する検知器部品を取り付ける取付体を備え、
前記取付体は、
前記検知器部品の他面が当接する当接部と、
前記検知器部品の一面が係合する係合部と、
前記当接部と係合部との間に挿入された検知器部品の取付孔が係合する突起と、
前記当接部と係合部との間に挿入された検知器部品の取付孔が突起に係合するように検知器部品を押圧するばね作用部とを一体に有する
ことを特徴とする検知器部品取付装置。
【請求項５】
検知器部品の取付孔は取付体への挿入方向に対して反対側寄りに位置し、
取付体の係合部は当接部との間に挿入された検知器部品の挿入方向の中間部に係合し、ばね作用部は係合部より検知器部品の挿入方向の先端側に位置して検知器部品を当接部から離反させる方向に押圧し、突起は係合部より検知器部品の挿入方向に対して反対側に位置している
ことを特徴とする請求項４記載の検知器部品取付装置。
【請求項６】
ばね作用部は、当接部から検知器部品の挿入方向に斜めに切り起こされて先端で検知器部品を係止する
ことを特徴とする請求項５記載の検知器部品取付装置。
【請求項７】
側面部およびこの側面部の上下縁部から折曲された縁部を有する断面略コ字形のコンベヤフレームの縁部に係合する係合部、この係合部の一端から折曲形成されコンベヤフレームの側面部に係合する引掛部、および係合部の他端から屈曲形成されコンベヤフレームの縁部を係合部との間に挟持する挟持部を有するクランプ体と、
このクランプ体の挟持部と係合部とを締め付けコンベヤフレームの縁部に固定する固定具とを備え、
前記クランプ体により取付体が支持されている
ことを特徴とする請求項１ないし６いずれか記載の検知器部品取付装置。
【請求項８】
取付体はクランプ体に一体に形成されている
ことを特徴とする請求項７記載の検知器部品取付装置。
【請求項９】
取付体はクランプ体の係合部に配置されて固定具により共締めされている
ことを特徴とする請求項７記載の検知器部品取付装置。
【請求項１０】
取付体を支持するアームと、
このアームを回動可能および上下移動可能に支持する支持体とを備え、
この支持体がクランプ体の係合部に配置されて固定具により共締めされている
ことを特徴とする請求項７記載の検知器部品取付装置。
【発明の詳細な説明】
【０００１】
【発明の属する技術分野】
本発明は、検知器部品を取り付ける検知器部品取付装置に関する。
【０００２】
【従来の技術】
従来、搬送物を載せて搬送するコンベヤにおいて、コンベヤ上の所定位置で搬送物を検知して搬送停止したり他の機構を作動させたりといった処理をする場合に、搬送物を検知する検知器を備えている。この検知器は、例えば、検知器部品として、検知光を照射して反射光を受光する光電スイッチと、この光電スイッチに対向して光電スイッチから照射された検知光を光電スイッチに向けて反射させる反射体とを有し、光電スイッチから照射する検知光を反射体で反射し、その反射した検知光を光電スイッチが受光する状態で搬送物無しを検知し、また、コンベヤ上を搬送する搬送物で光電スイッチから照射する検知光を遮光し、光電スイッチが反射体から反射する検知光を受光しなくなれば、搬送物を検知する。
【０００３】
これら光電スイッチや反射体などの各検知器部品をコンベヤフレームに取り付けるには、各検知器部品をブラケットに取り付け、このブラケットをアームで支持し、このアームをコンベヤフレームに取り付けた取付ブロックによって回動調整可能および上下位置調整可能に支持している。
【０００４】
各検知器部品にはねじ止め用の複数の取付孔が予め設けられ、これら取付孔に対応してブラケットにねじ挿通用の複数の挿通孔が形成されており、これら検知器部品の各取付孔とブラケットの各挿通孔とを位置合わせし、複数本の各ねじをブラケットの各挿通孔を通じて検知器部品の各取付孔に螺合し、検知器部品をブラケットに締め付け固定している。
【０００５】
【発明が解決しようとする課題】
しかしながら、従来の検知器部品の取付構造では、複数本のねじを用いて検知器部品をブラケットに取り付けるため、検知器部品の各取付孔とブラケットの各挿通孔とを位置合わせし、各ねじをブラケットの各挿通孔を通じて検知器部品の各取付孔に挿入し、各ねじを締め付けるという煩雑な作業を必要とし、組立効率が悪い問題がある。また、ねじの締め付けのばらつきが生じたり、コンベヤの振動によってねじが緩むおそれがあり、検知器部品のブラケットに対する取付状態が安定しない問題がある。
【０００６】
本発明は、このような点に鑑みなされたもので、ねじを使用せずに検知器部品を取付体に容易に取り付けることができるとともに確実に位置決め固定でき、組立効率の向上を図れ、しかも、検知器部品の取付体に対する取付状態を安定させることができる検知器部品取付装置を提供することを目的とする。
【０００７】
【課題を解決するための手段】
請求項１記載の検知器部品取付装置は、検知面を有するとともにこの検知面と交差する側面に取付孔を有する検知器部品を取り付ける取付体を備え、前記取付体は、前記検知器部品の取付孔を有する側面が当接する当接部と、この当接部との間に挿入される検知器部品を当接部に押圧するばね作用部と、前記当接部から突設され当接部とばね作用部との間に挿入された検知器部品の取付孔が係合する突起とを一体に有するものである。
【０００８】
そして、この構成では、検知器部品を取付体の当接部とばね作用部との間に挿入し、検知器部品の取付孔を当接部から突設された突起に係合させることにより、ねじを使用せずに検知器部品が取付体に容易に取り付けられるとともに確実に位置決め固定される。しかも、ばね作用部のばね作用により検知器部品を当接部に押圧するので、ねじを用いた場合のようにねじの締め付けのばらつきや振動等による緩みがなく、検知器部品の取付体に対する取付状態が安定する。
【０００９】
請求項２記載の検知器部品取付装置は、請求項１記載の検知器部品取付装置において、取付体は、当接部から折曲された検知面対向部を有し、この検知面対向部から当接部に対向するばね作用部を切り起こし、検知面対向部のばね作用部を切り起こした位置に検知器部品の検知面が対向する開口部が形成されているものである。
【００１０】
そして、この構成では、取付体の当接部から検知面対向部を折曲し、この検知面対向部から当接部に対向するばね作用部を切り起こしたので、検知面対向部のばね作用部を切り起こした位置に検知器部品の検知面が対向する開口部を形成され、検知器部品の検知光が開口部を通過して検知が可能となる。
【００１１】
請求項３記載の検知器部品取付装置は、請求項２記載の検知器部品取付装置において、ばね作用部は、検知面対向部から切り起こした先端から検知器部品の挿入方向に斜めに折曲されて先端で検知器部品を係止する係止片を有するものである。
【００１２】
そして、この構成では、ばね作用部の検知面対向部から切り起こした先端から検知器部品の挿入方向に斜めに折曲された係止片の先端で検知器部品を係止するため、検知器部品の挿入が許容されるとともに、挿入後の検知器部品が抜け止めされる。
【００１３】
請求項４記載の検知器部品取付装置は、一面に反射面を有するとともに他面に取付孔を有する検知器部品を取り付ける取付体を備え、前記取付体は、前記検知器部品の他面が当接する当接部と、前記検知器部品の一面が係合する係合部と、前記当接部と係合部との間に挿入された検知器部品の取付孔が係合する突起と、前記当接部と係合部との間に挿入された検知器部品の取付孔が突起に係合するように検知器部品を押圧するばね作用部とを一体に有するものである。
【００１４】
そして、この構成では、検知器部品を取付体の当接部と係合部との間に挿入し、検知器部品の取付孔を取付体の突起に係合させることにより、この検知器部品の取付孔が突起に係合するようにばね作用部によって押圧するため、ねじを使用せずに検知器部品が取付体に容易に取り付けられるとともに確実に位置決め固定される。しかも、ばね作用部のばね作用により検知器部品を取付体に保持するので、ねじを用いた場合のようにねじの締め付けのばらつきや振動等による緩みがなく、検知器部品の取付体に対する取付状態が安定する。
【００１５】
請求項５記載の検知器部品取付装置は、請求項４記載の検知器部品取付装置において、検知器部品の取付孔は取付体への挿入方向に対して反対側寄りに位置し、取付体の係合部は当接部との間に挿入された検知器部品の挿入方向の中間部に係合し、ばね作用部は係合部より検知器部品の挿入方向の先端側に位置して検知器部品を当接部から離反させる方向に押圧し、突起は係合部より検知器部品の挿入方向に対して反対側に位置しているものである。
【００１６】
そして、この構成では、検知器部品の取付孔は取付体への挿入方向に対して反対側寄りに位置し、取付体の係合部は当接部との間に挿入された検知器部品の挿入方向の中間部に係合し、ばね作用部は係合部より検知器部品の挿入方向の先端側に位置して検知器部品を当接部から離反させる方向に押圧し、突起は係合部より検知器部品の挿入方向に対して反対側に位置している位置関係により、検知器部品の挿入が容易になるとともに、検知器部品の取付体に対する取付状態が安定する。
【００１７】
請求項６記載の検知器部品取付装置は、請求項５記載の検知器部品取付装置において、ばね作用部は、当接部から検知器部品の挿入方向に斜めに切り起こされて先端で検知器部品を係止するものである。
【００１８】
そして、この構成では、当接部から検知器部品の挿入方向に斜めに切り起こしたばね作用部の先端で検知器部品を係止するため、検知器部品の挿入が許容されるとともに、挿入後の検知器部品が抜け止めされる。
【００１９】
請求項７記載の検知器部品取付装置は、請求項１ないし６いずれか記載の検知器部品取付装置において、側面部およびこの側面部の上下縁部から折曲された縁部を有する断面略コ字形のコンベヤフレームの縁部に係合する係合部、この係合部の一端から折曲形成されコンベヤフレームの側面部に係合する引掛部、および係合部の他端から屈曲形成されコンベヤフレームの縁部を係合部との間に挟持する挟持部を有するクランプ体と、このクランプ体の挟持部と係合部とを締め付けコンベヤフレームの縁部に固定する固定具とを備え、前記クランプ体により取付体が支持されているものである。
【００２０】
そして、この構成では、側面部およびこの側面部の上下縁部から折曲された縁部を有する断面略コ字形のコンベヤフレームに対し、クランプ体の引掛部をコンベヤフレームの側面部に引っ掛けて係合し、クランプ体の係合部をコンベヤフレームの縁部に係合し、クランプ体の挟持部でコンベヤフレームの縁部を係合部との間に挟持することにより、クランプ体がコンベヤフレームの縁部に固定されるため、クランプ体の挟持部と係合部とを１つの固定具で締め付けるだけで確実に固定され、このクランプ体により取付体が支持されるため、検知器部品が断面略コ字形のコンベヤフレームに簡単に取り付けられる。
【００２１】
請求項８記載の検知器部品取付装置は、請求項７記載の検知器部品取付装置において、取付体はクランプ体に一体に形成されているものである。
【００２２】
そして、この構成では、取付体をクランプ体に一体に形成したため、部品点数および組立工数が削減されるとともに、コンベヤフレームに対する検知器部品の位置が定まって検知器部品の調整が容易になる。
【００２３】
請求項９記載の検知器部品取付装置は、請求項７記載の検知器部品取付装置において、取付体はクランプ体の係合部に配置されて固定具により共締めされているものである。
【００２４】
そして、この構成では、取付体をクランプ体の係合部に配置して固定具により共締めしたため、クランプ体のコンベヤフレームへの固定と取付体のクランプ体への固定とに固定具が共用され、構成が簡素化される。
【００２５】
請求項１０記載の検知器部品取付装置は、請求項７記載の検知器部品取付装置において、取付体を支持するアームと、このアームを回動可能および上下移動可能に支持する支持体とを備え、この支持体がクランプ体の係合部に配置されて固定具により共締めされているものである。
【００２６】
そして、この構成では、取付体を取り付けるアームを回動可能および上下移動可能に支持する支持体を備え、この支持体をクランプ体の係合部に配置して固定具により共締めしたため、クランプ体のコンベヤフレームへの固定と支持体のクランプ体への固定とに固定具が共用され、構成が簡素化される。
【００２７】
【発明の実施の形態】
以下、本発明の実施の形態を図面を参照して説明する。
【００２８】
図１ないし図８に第１の実施の形態を示す。図３において、11は搬送装置としてのコンベヤで、このコンベヤ11は、搬送物を載せて搬送するローラコンベヤであり、搬送方向Ｆに対して交差する両側に配置されるコンベヤフレーム12を備え、これら両側のコンベヤフレーム12間には搬送方向Ｆに対して軸方向を交差させた複数のローラ13が搬送方向Ｆに沿って並設され、これら複数のローラ13上で搬送物を搬送する搬送面が構成されている。
【００２９】
コンベヤフレーム12は、側面部14およびこの側面部14の上下縁部から折曲された縁部15，16を有する断面略コ字形に形成されており、側面部14の上部にローラ13の軸17が上方から落とし込み配置される溝部18が形成されている。ローラ13は、コンベヤフレーム12に取り付けられる軸17に対してローラ部19が回転自在に支持されている。
【００３０】
コンベヤ11には、搬送する搬送物を検知する検知器21を備えている。この検知器21は、一方のコンベヤフレーム12側に配置される検知器部品としての光電スイッチ22、他方のコンベヤフレーム12側に配置される検知器部品としての反射体23とを備え、これら光電スイッチ22と反射体23とが互いに対向する状態に配置され、光電スイッチ22から照射する検知光を反射体23で反射し、その反射した検知光を光電スイッチ22が受光する状態で搬送物無しを検知し、また、コンベヤ11上を搬送する搬送物で光電スイッチ22から照射する検知光を遮光し、光電スイッチ22が反射体23から反射する検知光を受光しなくなれば、搬送物を検知する。
【００３１】
図５に示すように、光電スイッチ22は、箱形のケース25を有し、このケース25の一側面に検知光を投受光する検知面26が形成され、この検知面26と交差する側面である上面に複数の取付孔27が形成されている。
【００３２】
図７に示すように、反射体23は、板状のケース29を有し、このケース29の一側面に光電スイッチ22から照射される検知光を反射する反射面30が形成され、ケース29の上部で一側面と他側面とに貫通して複数の取付孔31が形成されている。
【００３３】
また、図３に示すように、光電スイッチ22は検知器部品取付装置35によって一方のコンベヤフレーム12に取り付けられ、反射体23は検知器部品取付装置36によって他方のコンベヤフレーム12に取り付けられている。
【００３４】
図１に示すように、光電スイッチ22の検知器部品取付装置35は、光電スイッチ22を取り付ける取付体としてのブラケット38、コンベヤフレーム12に取り付けるクランプ体39、このクランプ体39側に対してブラケット38側を支持するアーム40、このアーム40をクランプ体39に支持す支持体41、アーム40にブラケット38を取り付けるアーム取付部材42を有している。
【００３５】
図１および図４に示すように、ブラケット38は、金属板にて一体形成したもので、光電スイッチ22の取付孔27を有する上面が当接する当接部45を有し、この当接部45の一端から下方に向けて略直角に検知面対向部46が折曲され、この検知面対向部46の下端から当接部45と略平行に対向するように取付部47が略直角に折曲され、これら当接部45、検知面対向部46および取付部47によって断面略コ字形に形成されている。
【００３６】
当接部45および検知面対向部46からは、当接部45に対向してその当接部45との間の挿入部48に挿入される光電スイッチ22をばね作用によって当接部45に押圧するばね作用部49が切り起こされている。このばね作用部49は、検知面対向部46との連結部50aを介して切り起こされたばね基部50を有し、およびこのばね基部50の先端から当接部45側でかつ光電スイッチ22の挿入方向に向けて斜めに折曲された係止片51が形成されている。当接部45とばね作用部49の係止片51との間隔L1は、図５に示す光電スイッチ22の上下方向の幅L2より狭く、当接部45とばね作用部49の係止片51との間に挿入される光電スイッチ22をばね作用によって当接部45に押圧し、かつ係止片51の先端が光電スイッチ22に食い付いて係止する。検知面対向部46のばね作用部49を切り起こした位置には光電スイッチ22の検知面26が対向して検知光を投受光可能とする開口部52が形成されている。
【００３７】
当接部45には、当接部45とばね作用部49との間に挿入された光電スイッチ22の各取付孔27が係合する断面略半球状の複数の突起53が突出形成されている。取付部47にはアーム取付部材42に取り付けるための取付孔54が形成されている。
【００３８】
また、図１および図８に示すように、クランプ体39は、金属板にて一体形成されており、コンベヤフレーム12の上側の縁部15の上面に係合する係合部57を有し、この係合部57の一端にコンベヤフレーム12の側面部14の内側に引っ掛かる引掛部58が折曲形成され、係合部57の他端には略Ｕ字形に屈曲されてコンベヤフレーム12の縁部15を係合部57との間に挟持する挟持部59が形成されている。
【００３９】
係合部57の一端側中央から引掛部58の先端中央にかけて溝部60が形成され、引掛部58が二股状に形成されている。係合部57および挟持部59には、コンベヤフレーム12への取付状態で縁部15の先端より外側に位置する取付孔61，62が形成されている。
【００４０】
取付孔61，62を介して、係合部57と挟持部59とを締め付けコンベヤフレーム12の縁部15に固定するとともに支持体41を共締めする１つの固定具63が配置されている。固定具63は、ボルト64、ワッシャ65およびナット66を備え、ボルト64が挟持部59側から取付孔62および取付孔61に挿通され、このボルト64の先端からワッシャ65が介してナット66が螺合される。ボルト64の頭部は取付孔62の内縁に係合して挿通が規制される。
【００４１】
また、図１に示すように、アーム40は、金属製のパイプが略Ｌ字形に折曲されて形成されており、アーム取付部材42が取り付けられる水平部69、および支持体41に支持される鉛直部70を有している。
【００４２】
また、支持体41は、金属板にて一体に形成されており、クランプ体39の係合部57上に配置されて固定具63により共締めされる取付片部73を有し、この取付片部73の一端から立上片部74が立上形成され、この立上片部74から取付片部73と略平行に対向する支持片部75が形成され、これら取付片部73の一端と立上片部74と支持片部75とで略コ字形のアーム支持部76が形成されている。取付片部73にはボルト64が挿通する取付孔77が形成され、取付片部73の一端および支持片部75にはアーム40の鉛直部70が回動可能および上下方向に移動可能に挿通される支持孔78が形成され、立上片部74には固定ねじ79が螺合するねじ孔80が形成されている。ねじ孔80に螺合する固定ねじ79は、先端がアーム40の鉛直部70に当接し、その鉛直部70を支持孔78の縁部に押圧してアーム40の位置を固定する。
【００４３】
また、アーム取付部材42は、金属板にて一体に形成されており、基板部83およびこの基板部83の両側から略直角に折曲形成された両側の支持片部84を有する断面略コ字形のアーム取付部85を備え、基板部83の上部からブラケット38の取付部47を取り付ける取付片部86が形成されている。
【００４４】
両側の支持片部84にはアーム40の水平部69に対して周方向および軸方向に移動可能に挿通される支持孔87が形成され、基板部83には固定ねじ88が螺合するねじ孔89が形成されている。ねじ孔89に螺合する固定ねじ88は、先端がアーム40の水平部69に当接し、その水平部69を支持孔87の縁部に押圧してアーム40に固定する。
【００４５】
取付片部86には取付孔90が形成され、取付孔90を介してアーム取付部材42とブラケット38とを締め付け固定する固定具91が配置されている。固定具91は、ボルト92、ワッシャ93およびナット94を備え、ボルト92が取付片部86の取付孔90からブラケット38の取付孔54に挿通され、このボルト92の先端からワッシャ93が介してナット94が螺合される。ボルト92の頭部は取付孔90の内縁に係合して挿通が規制される。
【００４６】
次に、図２に示すように、反射体23の検知器部品取付装置36は、反射体23を取り付ける取付体としてのブラケット97、コンベヤフレーム12に取り付けるクランプ体39、このクランプ体39側に対してブラケット38側を支持するアーム40、このアーム40をクランプ体39に支持す支持体41、アーム40にブラケット38を取り付けるアーム取付部材42を有している。すなわち、ブラケット97以外のクランプ体39、アーム40、支持体41およびアーム取付部材42は、光電スイッチ22の検知器部品取付装置35と共用されるものであり、その共用される部品についての説明は省略する。
【００４７】
図２および図６に示すように、ブラケット97は、反射体23の反射面30と反対の背面が当接する当接部98を有し、この当接部98の下端から取付部99が略直角に折曲形成され、これら当接部98および取付部99によって断面略Ｌ字形に形成されている。
【００４８】
当接部98の両側縁部で上下方向の中間位置からは、当接部98の表面側に突出して反射体23の両側位置を規制する側片部100および反射体23の反射面30側に係合する係合片部101を有する略Ｌ字形の両側の係合部102が形成されている。当接部98と両側の係合部102との間に上方から反射体23を挿入する挿入部103が形成されている。
【００４９】
当接部98の係合部102より下側位置の中央には、当接部98と係合部102との間に挿入される反射体23をばね作用によって固定するためのばね作用部104が切り起こし形成されている。このばね作用部104は、当接部98の表面側でかつ反射体23の挿入方向に向けて斜めに切り起こされている。当接部98と係合部102との間隔L3は図７に示す反射体23の厚みL4より広く、当接部98とばね作用部104との間隔L5は図７に示す反射体の厚みL4より狭く設定され、当接部98とばね作用部104との間に挿入される反射体23をばね作用によって当接部98から離反する方向に押圧し、かつ係止片51の先端が光電スイッチ22に食い付いて係止する。
【００５０】
当接部98の表面には、ばね作用部104で押圧された反射体23の各取付孔31が係合する断面略半球状の複数の突起105が突出形成されている。
【００５１】
そして、反射体23の取付孔31はブラケット97への挿入方向に対して反対側寄りに位置し、ブラケット97の係合部102は当接部98との間に挿入された反射体23の挿入方向の中間部に係合し、ばね作用部104は係合部102より反射体23の挿入方向の先端側に位置して反射体23を当接部98から離反させる方向に押圧し、突起105は係合部102より反射体23の挿入方向に対して反対側に位置している。これらの位置関係により、ばね作用部104のばね作用により、反射体23が係合部102との接触点を支点として反射体23の上端側が当接部98に当接するように回動し、反射体23の取付孔31が突起105に係合した状態に保持する。
【００５２】
取付部99にはアーム取付部材42に対して固定具91で取り付けられる取付孔106が形成されている。
【００５３】
次に、本実施の形態の作用を説明する。
【００５４】
図１に示すように、光電スイッチ22を一側のコンベヤフレーム12に設置するには、例えば、クランプ体39をコンベヤフレーム12に取り付け、支持体41をクランプ体39に共締め固定し、アーム40を支持体41に支持し、ブラケット38を取り付けたアーム取付部材42をアーム40に取り付け、光電スイッチ22をブラケット38に取り付ける。
【００５５】
すなわち、クランプ体39の係合部57と挟持部59との間にコンベヤフレーム12の縁部15を挟み込みながら引掛部58をコンベヤフレーム12の上方から側面部14の内側に引っ掛ける。このとき、クランプ体39の係合部57の一端側から引掛部58の先端にかけて溝部60が形成されているので、引掛部58の弾性変形を容易にし、この引掛部58をコンベヤフレーム12の側面部14に容易に引っ掛けることができる。
【００５６】
クランプ体39の係合部57上に支持体41を配置し、クランプ体39の下方からボルト64をクランプ体39の取付孔62および取付孔61さらに支持体41の取付孔77に挿通し、支持体41上に挿通したボルト64にワッシャ65を介してナット66を螺合し、クランプ体39と支持体41とを共締めする。これらクランプ体39と支持体41とを共締めすることにより、クランプ体39の係合部57と挟持部59との間でコンベヤフレーム12の縁部15を強固に挟持し、クランプ体39をコンベヤフレーム12に強固に固定できる。
【００５７】
アーム40の鉛直部70を支持体41の上方から支持孔78に挿通し、支持体41のねじ孔80に螺合する固定ねじ79を螺合操作し、固定ねじ79の先端をアーム40に押し当て、アーム40を支持体41に固定する。
【００５８】
ボルト92をアーム取付部材42の取付孔90およびブラケット38の取付孔54に挿通し、ブラケット38上に挿通したボルト92にワッシャ93を介してナット94を螺合し、アーム取付部材42とブラケット38とを締め付け固定する。アーム支持体42の支持孔87をアーム40の水平部69の先端側から挿通し、アーム取付部材42のねじ孔89に螺合する固定ねじ88を螺合操作し、固定ねじ88の先端をアーム40に押し当て、アーム支持部材42をアーム40に固定する。
【００５９】
光電スイッチ22をブラケット38の当接部45とばね作用部49との間に挿入し、光電スイッチ22の取付孔27をブラケット38の突起53に係合させる。当接部45とばね作用部49との間に挿入した光電スイッチ22をばね作用部49のばね作用によって当接部45に押圧し、かつばね作用部49の係止片51の先端が光電スイッチ22に食い付いて確実に係止する。光電スイッチ22の検知面26は、検知面対向部46のばね作用部49を切り起こした開口部52に対向し、検知光を投受光可能とする。
【００６０】
また、図２に示すように、反射体23を他側のコンベヤフレーム12に設置するには、例えば、クランプ体39をコンベヤフレーム12に取り付け、支持体41をクランプ体39に共締め固定し、アーム40を支持体41に支持し、ブラケット97を取り付けたアーム取付部材42をアーム40に取り付け、反射体23をブラケット97に取り付ける。
【００６１】
クランプ体39のコンベヤフレーム12への固定、支持体41のクランプ体39への固定、アーム40の支持体41への固定、ブラケット97のアーム取付部材42への固定し、アーム取付部材42のアーム40への固定については、上述した光電スイッチ22の場合と同様であり、その説明を省略する。
【００６２】
反射体23をブラケット97の当接部98と両側の係合部102との間の挿入部103に挿入するとともにばね作用部104と係合部102との間に挿入し、反射体23の取付孔27をブラケット97の突起105に係合させる。ばね作用部104と係合部102との間に挿入した反射体23をばね作用部104のばね作用によって当接部45から離反するように押圧し、かつばね作用部104の先端が反射体23に食い付いて確実に係止する。ばね作用部104のばね作用により、反射体23が係合部102との接触点を支点として反射体23の上端側が当接部98に当接するように回動し、反射体23の取付孔31が突起105に係合した状態に確実に保持する。
【００６３】
なお、組立手順は、上述した組立手順に限られるものではなく、作業に応じて適宜変更される。
【００６４】
そして、光電スイッチ22の光軸と反射体23の光軸とが一致するように調整する。この調整では、固定ねじ79を緩め、支持体41に対してアーム40を回動させて水平方向の向きを調整したり、上下に移動させて高さを調整し、また、固定ねじ88を緩め、光電スイッチ22や反射体23の俯仰角度を調整し、調整完了後に各固定ねじ79，88を締め付けて固定する。
【００６５】
以上のように、光電スイッチ22の検知器部品取付装置35では、光電スイッチ22をブラケット38の当接部45とばね作用部49との間に挿入し、光電スイッチ22の取付孔27を当接部45から突設された突起53に係合させることにより、ねじを使用せずに光電スイッチ22をブラケット38に容易に取り付けることができるとともに確実に位置決め固定でき、組立効率の向上を図れ、しかも、ばね作用部49のばね作用により光電スイッチ22を当接部45に押圧するので、ねじを用いた場合のようにねじの締め付けのばらつきや振動等による緩みがなく、光電スイッチ22のブラケット38に対する取付状態を安定させることができる。
【００６６】
ブラケット38の当接部45から検知面対向部46を折曲し、この検知面対向部46から当接部45に対向するばね作用部49を切り起こしたので、検知面対向部46のばね作用部49を切り起こした位置に光電スイッチ22の検知面26が対向する開口部52を形成でき、光電スイッチ22の検知光が開口部52を通過して検知ができる。
【００６７】
ばね作用部49の検知面対向部46から切り起こした先端から当接部45側でかつ光電スイッチ22の挿入方向に向けて斜めに折曲された係止片51の先端で光電スイッチ22を係止するため、光電スイッチ22の挿入を許容するとともに、挿入後の光電スイッチ22の抜け止めを確実にできる。
【００６８】
また、反射体23の検知器部品取付装置36では、反射体23をブラケット97の当接部98と係合部102との間に挿入し、反射体23の取付孔31を当接部98から突設された突起105に係合させることにより、この反射体23の取付孔31が突起105に係合するように反射体23をばね作用部104によって押圧するため、ねじを使用せずに反射体23をブラケット97に容易に取り付けることができるとともに確実に位置決め固定でき、組立効率の向上を図れ、しかも、ばね作用部104のばね作用によって反射体23をブラケット97に保持するので、ねじを用いた場合のようにねじの締め付けのばらつきや振動等による緩みがなく、反射体23のブラケット97に対する取付状態を安定させることができる。
【００６９】
反射体23の取付孔31はブラケット97への挿入方向に対して反対側寄りに位置し、ブラケット97の係合部102は当接部98との間に挿入された反射体23の挿入方向の中間部に係合し、ばね作用部104は係合部102より反射体23の挿入方向の先端側に位置して反射体23を当接部98から離反させる方向に押圧し、突起105は係合部102より反射体23の挿入方向に対して反対側に位置している位置関係により、反射体23の挿入を容易にできるとともに、反射体23のブラケット97に対する取付状態を安定させることができる。
【００７０】
当接部98から係合部102側でかつ反射体23の挿入方向に向けて斜めに切り起こしたばね作用部104の先端で反射体23を係止するため、反射体23の挿入を許容するとともに、挿入後の反射体23の抜け止めを確実にできる。
【００７１】
また、側面部14およびこの側面部14の上下縁部から折曲された縁部15，16を有する断面略コ字形のコンベヤフレーム12に対し、クランプ体39の引掛部58をコンベヤフレーム12の側面部14の内側に引っ掛けて係合し、クランプ体39の係合部57をコンベヤフレーム12の縁部15上に係合し、クランプ体39の挟持部59でコンベヤフレーム12の縁部15を係合部57との間に挟持することにより、クランプ体39をコンベヤフレーム12の縁部15に固定できるため、クランプ体39の挟持部59と係合部57とを１つの固定具63で締め付けるだけで確実に固定でき、このクランプ体39により各ブラケット38，97を支持するため、光電スイッチ22および反射体23を断面略コ字形のコンベヤフレーム12に簡単に取り付けることができる。
【００７２】
各ブラケット38，97を取り付けるアーム40を回動可能および上下移動可能に支持する支持体41を備え、この支持体41をクランプ体39の係合部57に配置して固定具63により共締めしたため、クランプ体39のコンベヤフレーム12への固定と支持体41のクランプ体39への固定とに固定具63を共用でき、構成を簡素化できる。
【００７３】
次に、図９に第２の実施の形態を示す。
【００７４】
ブラケット38の検知面対向部46の下端をクランプ体39の係合部57に一体に形成し、ブラケット97の当接部98の下端をクランプ体39の係合部57に一体に形成する。各ブラケット38，97の各クランプ体39，39に対する水平方向の向きは、各クランプ体39，39を各コンベヤフレーム12，12に取り付けた状態で、光電スイッチ22および反射体23の光軸が搬送方向Ｆに対して略直角に交差するように設定されている。
【００７５】
このように、各ブラケット38，97をクランプ体39に一体に形成することにより、部品点数および組立工数を削減できるとともに、コンベヤフレーム12に対する光電スイッチ22および反射体23の位置が定まって光電スイッチ22および反射体23の調整を容易にできる。
【００７６】
各ブラケット38，97の各クランプ体39，39に対する水平方向の向きが、各クランプ体39，39を各コンベヤフレーム12，12に取り付けた状態で、光電スイッチ22および反射体23の光軸が搬送方向Ｆに対して略直角に交差するように設定されていれば、各クランプ体39，39をローラ13の軸方向に平行な対称位置で各コンベヤフレーム12に取り付けるだけで、光電スイッチ22と反射体23との光軸を一致させることができ、光軸の調整を容易にできる。
【００７７】
なお、各ブラケット38，97の各クランプ体39，39に対する水平方向の向きは、各クランプ体39，39を各コンベヤフレーム12，12に取り付けた状態で、光電スイッチ22および反射体23の光軸が搬送方向Ｆに対して略直角に交差する方向に対して斜めになるように設定してもよく、この場合には、各クランプ体39，39の取付位置を搬送方向Ｆにずらすことにより光軸を一致させることができる。
【００７８】
次に、図１０に第３の実施の形態を示す。
【００７９】
各ブラケット38，97の取付部47，99を各クランプ体39，39の係合部57，57に配置して各固定具63，63により共締めする。
【００８０】
このように、各ブラケット38，97の取付部47，99を各クランプ体39，39の係合部57，57に配置して各固定具63，63により共締めすることにより、各クランプ体39，39のコンベヤフレーム12，12への固定と各ブラケット38，97の各クランプ体39，39のへの固定とに固定具63，63を共用でき、構成を簡素化できる。
【００８１】
各クランプ体39，39を各コンベヤフレーム12，12に取り付けた状態で、各ブラケット38，97の各クランプ体39，39に対する水平方向の向きを任意に調整できる。
【００８２】
次に、図１１に第４の実施の形態を示す。
【００８３】
コンベヤフレーム12への取り付けに、クランプ体39に代えて、取付ブロック111が用いられる。取付ブロック111には、コンベヤフレーム12の縁部15に先端側から嵌め込む溝部112が形成され、この溝部112の上側位置に図示しない複数本のボルトが螺合される。そして、各ボルトを螺合操作し、各ボルトの先端をコンベヤフレーム12の縁部15上に押し当てることにより、ボルトと溝部112の内面との間でコンベヤフレーム12の縁部15を挟持し、取付ブロック111をコンベヤフレーム12に固定できる。
【００８４】
次に、図１２に第５の実施の形態を示す。
【００８５】
コンベヤフレーム12の縁部15に取付プレート114の一端が図示しないボルトなどで固定され、取付プレート114の他端に上述した取付ブロック111が図示しないボルトで取り付けられる。取付プレート114を用いることにより、取付ブロック111の取付位置をコンベヤフレーム12から離して取付性を向上させたり、光電スイッチ22などをコンベヤフレーム12から離して搬送物との接触を防止できる。
【００８６】
次に、図１３に第６の実施の形態を示す。
【００８７】
コンベヤフレーム12の下側の縁部16に取付プレート114の一端が図示しないボルトなどで固定され、取付プレート114の他端に取付ブロック111が図示しないボルトで取り付けられる。取付プレート114を用いることにより、取付ブロック111の取付位置をコンベヤフレーム12から離して取付性を向上させたり、光電スイッチ22などをコンベヤフレーム12から離して搬送物との接触を防止できる。さらに、光電スイッチ22の高さを低くでき、搬送物が薄物の場合に対応できる。
【００８８】
なお、検知器部品取付装置は、光電スイッチと反射体との組み合わせで構成される検知器に限らず、例えば、投光器と受光器で構成される検知器の構成にも適用でき、同様の作用効果が得られる。
【００８９】
また、検知器部品取付装置は、ローラコンベヤに限らず、ベルトコンベヤや他のコンベヤにも適用でき、同様の作用効果が得られる。
【００９０】
【発明の効果】
請求項１記載の検知器部品取付装置によれば、検知器部品を取付体の当接部とばね作用部との間に挿入し、検知器部品の取付孔を当接部から突設された突起に係合させることにより、ねじを使用せずに検知器部品を取付体に容易に取り付けることができるとともに確実に位置決め固定でき、組立効率の向上を図れ、しかも、ばね作用部のばね作用により検知器部品を当接部に押圧するので、ねじを用いた場合のようにねじの締め付けのばらつきや振動等による緩みがなく、検知器部品の取付体に対する取付状態を安定させることができる。
【００９１】
請求項２記載の検知器部品取付装置によれば、請求項１記載の検知器部品取付装置の効果に加えて、取付体の当接部から検知面対向部を折曲し、この検知面対向部から当接部に対向するばね作用部を切り起こしたので、検知面対向部のばね作用部を切り起こした位置に検知器部品の検知面が対向する開口部を形成でき、検知器部品の検知光が開口部を通過して検知ができる。
【００９２】
請求項３記載の検知器部品取付装置によれば、請求項２記載の検知器部品取付装置の効果に加えて、ばね作用部の検知面対向部から切り起こした先端から検知器部品の挿入方向に斜めに折曲された係止片の先端で検知器部品を係止するため、検知器部品の挿入を許容するとともに、挿入後の検知器部品の抜け止めを確実にできる。
【００９３】
請求項４記載の検知器部品取付装置によれば、検知器部品を取付体の当接部と係合部との間に挿入し、検知器部品の取付孔を取付体の突起に係合させることにより、この検知器部品の取付孔が突起に係合するようにばね作用部によって押圧するため、ねじを使用せずに検知器部品を取付体に容易に取り付けることができるとともに確実に位置決め固定でき、組立効率の向上を図れ、しかも、ばね作用部のばね作用により検知器部品を取付体に保持するので、ねじを用いた場合のようにねじの締め付けのばらつきや振動等による緩みがなく、検知器部品の取付体に対する取付状態を安定させることができる。
【００９４】
請求項５記載の検知器部品取付装置によれば、請求項４記載の検知器部品取付装置の効果に加えて、検知器部品の取付孔は取付体への挿入方向に対して反対側寄りに位置し、取付体の係合部は当接部との間に挿入された検知器部品の挿入方向の中間部に係合し、ばね作用部は係合部より検知器部品の挿入方向の先端側に位置して検知器部品を当接部から離反させる方向に押圧し、突起は係合部より検知器部品の挿入方向に対して反対側に位置している位置関係により、検知器部品の挿入を容易にできるとともに、検知器部品の取付体に対する取付状態を安定させることができる。
【００９５】
請求項６記載の検知器部品取付装置によれば、請求項５記載の検知器部品取付装置の効果に加えて、当接部から検知器部品の挿入方向に斜めに切り起こしたばね作用部の先端で検知器部品を係止するため、検知器部品の挿入を許容するとともに、挿入後の検知器部品の抜け止めを確実にできる。
【００９６】
請求項７記載の検知器部品取付装置によれば、請求項１ないし６いずれか記載の検知器部品取付装置の効果に加えて、側面部およびこの側面部の上下縁部から折曲された縁部を有する断面略コ字形のコンベヤフレームに対し、クランプ体の引掛部をコンベヤフレームの側面部に引っ掛けて係合し、クランプ体の係合部をコンベヤフレームの縁部に係合し、クランプ体の挟持部でコンベヤフレームの縁部を係合部との間に挟持することにより、クランプ体をコンベヤフレームの縁部に固定できるため、クランプ体の挟持部と係合部とを１つの固定具で締め付けるだけで確実に固定でき、このクランプ体により取付体を支持するため、検知器部品を断面略コ字形のコンベヤフレームに簡単に取り付けることができる。
【００９７】
請求項８記載の検知器部品取付装置によれば、請求項７記載の検知器部品取付装置の効果に加えて、取付体をクランプ体に一体に形成したため、部品点数および組立工数を削減できるとともに、コンベヤフレームに対する検知器部品の位置が定まって検知器部品の調整を容易にできる。
【００９８】
請求項９記載の検知器部品取付装置によれば、請求項７記載の検知器部品取付装置の効果に加えて、取付体をクランプ体の係合部に配置して固定具により共締めしたため、クランプ体のコンベヤフレームへの固定と取付体のクランプ体への固定とに固定具を共用でき、構成を簡素化できる。
【００９９】
請求項１０記載の検知器部品取付装置によれば、請求項７記載の検知器部品取付装置の効果に加えて、取付体を取り付けるアームを回動可能および上下移動可能に支持する支持体を備え、この支持体をクランプ体の係合部に配置して固定具により共締めしたため、クランプ体のコンベヤフレームへの固定と支持体のクランプ体への固定とに固定具を共用でき、構成を簡素化できる。
【図面の簡単な説明】
【図１】本発明の第１の実施の形態を示す光電スイッチ用の検知器部品取付装置であり、(a)はコンベヤの搬送方向から視る一部の側面図、(b)はコンベヤの中心側から視る側面図である。
【図２】同上反射体用の検知器部品取付装置であり、(a)はコンベヤの搬送方向から視る一部の側面図、(b)はコンベヤの中心側から視る側面図である。
【図３】同上検知器部品取付装置を備えたコンベヤを示し、(a)は平面図、(b)は搬送方向から視る側面図である。
【図４】同上検知器部品取付装置の光電スイッチ用のブラケットを示し、(a)は平面図、(b)は側面図、(c)は正面図である。
【図５】同上光電スイッチを示し、(a)は平面図、(b)は側面図である。
【図６】同上検知器部品取付装置の反射体用のブラケットを示し、(a)は平面図、(b)は正面図、(c)は側面図である。
【図７】同上反射体を示し、(a)は平面図、(b)は正面図、(c)は側面図である。
【図８】同上検知器部品取付装置のクランプ体を示し、(a)は平面図、(b)は側面図、(c)は底面図、(d)は正面図である。
【図９】第２の実施の形態を示す検知器部品取付装置を備えたコンベヤであり、(a)は平面図、(b)は搬送方向から視る側面図である。
【図１０】第３の実施の形態を示す検知器部品取付装置を備えたコンベヤであり、(a)は平面図、(b)は搬送方向から視る側面図である。
【図１１】第４の実施の形態を示す検知器部品取付装置を搬送方向から視る一部の側面図である。
【図１２】第５の実施の形態を示す検知器部品取付装置を搬送方向から視る一部の側面図である。
【図１３】第６の実施の形態を示す検知器部品取付装置を搬送方向から視る一部の側面図である。
【符号の説明】
12    コンベヤフレーム
14    側面部
15，16    縁部
22    検知器部品としての光電スイッチ
23    検知器部品としての反射体
26    検知面
27    取付孔
30    反射面
31    取付孔
35    検知器部品取付装置
36    検知器部品取付装置
38    取付体としてのブラケット
39    クランプ体
40    アーム
41    支持体
45    当接部
46    検知面対向部
49    ばね作用部
51    係止片
52    開口部
53    突起
57    係合部
58    引掛部
59    挟持部
63    固定具
97    取付体としてのブラケット
98    当接部
102   係合部
104   ばね作用部
105   突起
【図１】
0003979573.tif 000002
【図２】
0003979573.tif 000003
【図３】
0003979573.tif 000004
【図４】
0003979573.tif 000005
【図５】
0003979573.tif 000006
【図６】
0003979573.tif 000007
【図７】
0003979573.tif 000008
【図８】
0003979573.tif 000009
【図９】
0003979573.tif 000010
【図１０】
0003979573.tif 000011
【図１１】
0003979573.tif 000012
【図１２】
0003979573.tif 000013
【図１３】
0003979573.tif 000014